【事件の表示】
　平成１１年特許願第３１６０６０号「テレビコンセント」拒絶査定不服審判事件〔平成１３年　５月１８日出願公開、特開２００１−１３５４３１〕について、次のとおり審決する。
【結　論】
　本件審判の請求は、成り立たない。
【理　由】
１．手続の経緯・本願発明 
　本願は、平成１１年１１月５日の出願であって、その請求項１に係る発明は、平成１２年５月８日付け、平成１６年１１月８日付け、平成１７年５月２６日付け及び平成１７年６月２７日付けの手続補正により補正された明細書及び図面の記載からみて、その特許請求の範囲の請求項１に記載された、次の事項により特定されるものである（以下「本願発明」という。）。
　　
「【請求項１】入力側となる第１の同軸ケーブルの外側導体を接続保持する接続部と、出力側となる第２の同軸ケーブルが接続される同軸コネクタと、第１の同軸ケーブルの中心導体が差込接続さればね力によって中心導体を保持するとともに前記同軸コネクタの内側導体との間に信号経路が形成される接触ばねと、前記同軸コネクタを前面側に臨ませるとともに後面側に前記接続部を露出させ取付面に埋込配置されるカバーとを備え、第１の同軸ケーブルの中心導体を接触ばねに差し込む方向が前記接続部に接続保持された第１の同軸ケーブルの延長方向と一致するように接触ばねをカバーの後面側に配置したことを特徴とするテレビコンセント。」
　
２．引用例
　原査定の拒絶の理由に引用した特開平２−３０６５６２号公報（以下「引用例１」という。）及び特開昭６０−１１９０８７号公報（以下「引用例２」という。）には、それぞれ図面と共に以下の記載がある。
　　
［引用例１について］
　　
１ａ　「第１の同軸ケーブルを接続する端子がコンセント本体の裏面に臨んで配置されるとともに、第２の同軸ケーブルの一端に接続されたコネクタが着脱自在に接続されるレセプタクルがコンセント本体の前面に臨んで配置され、上記端子と上記レセプタクルとの間でＴＶ信号を伝送する回路部を実装した基板がコンセント本体内に納装されたＴＶコンセントにおいて、コンセント本体は裏面側が開口する形状に形成され、基板の前面側に配設されるシールドカバーと、基板の裏面側に配設されコンセント本体の裏面の開口を覆うシールド板とがコンセント本体に装着され、レセプタクルは、同軸ケーブルの中心導体に接続される内側接触子と、同軸ケーブルの外側導体に接続される外側接触子とを備え、上記外側接触子はシールドカバーに結合され、基板の接地パターンはシールドカバーに結合され、シールドカバーの周部に裏面側に向かって突設された第１接続片とシールド板の周部に前面側に向かって突設された第２接続片との一方がコンセント本体の内周面との間に他方を挟持してシールドカバーとシールド板とが電気的に接続されて成ることを特徴とするＴＶコンセント。」（特許請求の範囲（１））
　　
１ｂ　「ところで、レセプタクル２０の内側接触子２５の端子片２７は、第５図（「第２図」の誤記と思われる。）に示すように、シールドカバー３１の透孔３２を通して基板３０に接続される。基板３０には、一対の接触ばね３６が実装される。各接触ばね３６は、互いに対向して配置され互いの距離を縮める向きのばね力を有した一対の圧入片３６ａを有している。接触ばね３６は、基板３０の裏面側に突出するように基板３０に実装され、基板３０の裏面側には接触ばね３６を覆う形で端子ケース３７が配設される。端子ケース３７は、ポリカーボネートのような透明な絶縁材料により形成されており、各接触ばね３６を覆う一対の筒部３８を備え、筒部３８の先端面には圧入片３６ａの間に対応する部位に電線挿入口（図示せず）が形成される。
・・・（中略）・・・。
　シールド板４０の一端縁には切欠４４が形成され、第４図に示すように、基板４０（「基板３０」の誤記。）と端子ケース３７とシールド板５０とを順にコンセント本体１０に装着すれば、切欠４４を通して端子ケース３７の筒部３８がコンセント本体１０の裏面側に突出するように装着される。
・・・（中略）・・・。
シールド板４０の裏面側には、断面略コ形に形成された押え板５０が配設され、押え板５０の両脚片よりそれぞれ外側方に突設された軸脚５１が上記保持孔４６に挿入される。したがって、押え板５０はシールド板４０に対して軸脚５１の回りに起倒自在となる。」（第４頁左上欄第２行〜右上欄第１４行）
　　
１ｃ　「以上の構成によれば、止めねじ５４を緩め、押え板５０をシールド板４０に対して起こした状態で、同軸ケーブルの中心導体を端子ケース３７の筒部３８に設けた電線挿入口に挿入して接触ばね３６に保持させ、次に、止めねじ５４を締め付けると、シールド板４０と押さえ板５０との間に同軸ケーブルの外側導体が挟持されるのである。」（第４頁左下欄第６〜１２行）
　　
１ｄ　「以上のように形成されたＴＶコンセントは、第８図に示すような形状の取付枠６０に装着される。
・・・（中略）・・・。
すなわち、取付枠６０は合成樹脂により形成され、中央部には開口窓６１が形成される。取付枠６０の両側片６２ａ，６２ｂには、それぞれ６個ずつの保持孔６３ａ，６３ｂが形成されており、各４個の保持孔６３ａ，６３ｂに対してケース１０の取付爪片１３が挿入される。
・・・（中略）・・・。
したがって、一方の取付爪片１３を保持孔６２ｂに挿入した状態で、取付枠６０の背面側からケース１０を押圧すると、操作片６４が撓んで取付爪片１３が保持孔６３ａに嵌合するのである。
・・・（中略）・・・。
取付枠６０の両連結片６５には各一対の長孔６６が形成され、壁面等に埋込配置されるスイッチボックスに対して長孔６６に挿通されるボックスねじを用いて取付枠６０を固定できるようになっている。」（第５頁左上欄第１１行〜右上欄第１５行）
　　
［引用例２について］
　　
２ａ　「（背景技術）従来、この種のテレビターミナルは第１図に示すようになっており、（１）はテレビ信号が出力される出力端子部であり、シールド線接続用円筒導体（２）と、芯線接続用ピン（３）とで形成され、円筒導体（２）およびピン（３）はプリント配線板（４）に半田固定されている。（５）はコ字形のシールドケース本体、（６）は同じくコ字形のシールドケースカバー、（７）は合成樹脂製の取付枠であり、シールドケース本体（５）とシールドケースカバー（６）とで形成される箱状のシールド部の前面に取付枠（７）が被着されてターミナルケース（８）が形成されている。シールドケース本体（５）および取付枠（７）には出力端子部（１）を露出させる丸孔（９）（１０）が形成され、この丸孔（９）（１０）に出力端子部（１）に接続されるプラグが差込まれ、出力端子部（１）およびプラグを介してテレビ信号が出力される。（１１）はテレビ信号入力用同軸ケーブルが接続される接続端子部であり、同軸ケーブルのシールド線の外周を圧接してターミナルケース（８）のシールド部に螺着するシールド線接続部（１２）と、同軸ケーブルの芯線を螺着する芯線接続部（１３）’とで構成されており、シールド線接続部（１２）は押え金具（１２ａ）と、コイルばね（１２ｂ）と、締付ねじ（１２ｃ）とで形成され、芯線接続部（１３）’は取付枠（７）の突片（７ａ）に取着される端子金具（１３ａ）と、押え金具（１３ｂ）と、締付ねじ（１３ｃ）とで形成されている。ここに、両接続部（１２）（１３）’はプリント配線板（４）の導電パターンによってターミナルケース（８）内のシールド部内で相互接続されている。」（第１頁右欄第３行〜第２頁左上欄第１２行）
　　
２ｂ　「第２図乃至第４図は本発明の一実施例を示すもので、従来例において、芯線接続部（１３）を変更したものであり、他の構成は従来例と全く同様である。ここに、本発明の芯線接続部（１３）は同軸ケーブルの芯線（１７ａ）に弾接される接続ばね（１４）を用いて形成され、この接続ばね（１４）は、芯線挟持部（１４ａ）と、取付枠（７）の突片（７ａ）に穿設された角形凹部（１５）に係合するコ字形部（１４ｂ）と、プリント配線板（４）の導電パターンに半田固定される接続固定部（１４ｃ）とを有している。
・・・（中略）・・・
　いま、同軸ケーブル（１７）を接続端子部（１１）に接続する場合において、まず最初に、同軸ケーブル（１７）の芯線（１７ａ）を接続ばね（１４）の芯線挟持部（１４ａ）に挿入接続するとともに、シールド線（１７ｂ）の外周をシールド線接続部（１２）の押え金具（１２ａ）にて圧接してターミナルシーケンス（８）のシールド部に同軸ケーブル（１７）を固定する。この場合、芯線（１７ａ）はワンタッチで芯線接続部（１３）に接続され、シールド線接続部（１２）の締付ねじ（１２ｃ）を締付けるだけで、同軸ケーブル（１７）が接続固定され、従来例のように芯線（１７ａ）を接続するための締付ねじ（１３ｃ）およびシールド線（１７ｂ）を接続するための締付ねじ（１２ｃ）を締付ける必要がないので、同軸ケーブルの接続作業が容易になる。また、同軸ケーブル（１７）をシールド接続部（１２）に接続固定したとき芯線（１７ａ）が接続ばね（１４）に弾接するように芯線接続部（１３）を配置しているので、同軸ケーブル（１７）をシールド線接続部（１２）に接続固定したとき芯線（１７ａ）が芯線接続部（１３）に確実に接続されることになり、従来例のように芯線（１７ａ）の接続が不確実になることがない。」（第２頁右上欄第１０行〜右下欄第５行）
　　
３．引用発明
［引用例１に記載された発明］
　記載事項１ａ〜１ｄと第１図〜第８図及び技術常識から、次のことが理解できる。
　　
１ｅ　記載事項１ａの「第１の同軸ケーブルを接続する端子がコンセント本体の裏面に臨んで配置されるとともに、第２の同軸ケーブルの一端に接続されたコネクタが着脱自在に接続されるレセプタクルがコンセント本体の前面に臨んで配置され、上記端子と上記レセプタクルとの間でＴＶ信号を伝送する回路部を実装した基板がコンセント本体内に納装されたＴＶコンセントにおいて、」の記載から、「第１の同軸ケーブル」は入力側となる第１の同軸ケーブルであり、「第２の同軸ケーブル」は出力側となる第２の同軸ケーブルであること。
　　
１ｆ　記載事項１ａの「コンセント本体の裏面の開口を覆うシールド板」、記載事項１ｂの「シールド板４０の裏面側には、断面略コ形に形成された押え板５０が配設され、」と記載事項１ｃの「シールド板４０と押さえ板５０との間に同軸ケーブルの外側導体が挟持されるのである。」の記載から、シールド板４０と押え板５０からなる接続部が、コンセント本体１０の後面側に露出して入力側となる第１の同軸ケーブルの外側導体を接続保持すること。
　　
１ｇ　記載事項1ｂの「端子ケース３７は、ポリカーボネートのような透明な絶縁材料により形成されており、各接触ばね３６を覆う一対の筒部３８を備え、筒部３８の先端面には圧入片３６ａの間に対応する部位に電線挿入口（図示せず）が形成される。
・・・（中略）・・・
　シールド板４０の一端側には切欠４４が形成され、第４図に示すように、基板３０を端子ケース３７とシールド板５０とを順にコンセント本体１０に装着すれば、切欠４４を通して端子ケース３７の筒部３８がコンセント本体１０の裏面側に突出するように装着される。」の記載から、接触ばね３６はコンセント本体１０の後面側に配置されていること。
　　
１ｈ　記載事項１ｂの「レセプタクル２０の内側接触子２５の端子片２７は、第５図に示すように、シールドカバー３１の透孔３２を通して基板３０に接続される。基板３０には、一対の接触ばね３６が実装される。」、「筒部３８の先端面には圧入片３６ａの間に対応する部位に電線挿入口（図示せず）が形成される。」と記載事項１ｃの「同軸ケーブルの中心導体を端子ケース３７の筒部３８に設けた電線挿入口に挿入して接触ばね３６に保持させ、」の記載から、接触ばね３６は、入力側となる第１の同軸ケーブルの中心導体が差込接続さればね力によって中心導体を保持するとともにレセプタクル２０の内側接触子２５との間に信号経路が形成されること。
　　
１ｉ　記載事項１ｄと第８図から、コンセント本体１０は壁等の取付面に埋込配置されること。　
　　
　以上を総合すると、引用例１には、次の発明（以下「引用発明１」という。）が記載されている。
　　
　入力側となる第１の同軸ケーブルの外側導体を接続保持するシールド板４０と押さえ板５０からなる接続部と、出力側となる第２の同軸ケーブルが接続されるレセプタクル２０と、第１の同軸ケーブルの中心導体が差込接続さればね力によって中心導体を保持するとともに前記レセプタクル２０の内側接触子２５との間に信号経路が形成される接触ばね３６と、前記レセプタクル２０を前面側に臨ませるとともに後面側に前記接続部を露出させ取付面に埋込配置されるコンセント本体１０とを備え、前記接触ばね３６をコンセント本体１０の後面側に配置したＴＶコンセント。
　　
［引用例２に記載された発明］
　記載事項２ａ、２ｂと第１図〜第４図及び技術常識から、次のことが理解できる。
　　
２ｃ　記載事項２ａの「出力端子部（１）に接続されるプラグが差込まれ、出力端子部（１）およびプラグを介してテレビ信号が出力される。」から、テレビ信号出力用同軸ケーブルが出力端子部（１）に接続されること。
　
２ｄ　記載事項２ａの「（１）はテレビ信号が出力される出力端子部であり、シールド線接続用円筒導体（２）と、芯線接続用ピン（３）とで形成され、円筒導体（２）およびピン（３）はプリント配線板（４）に半田固定されている。」、「両接続部（１２）（１３）’はプリント配線板（４）の導電パターンによってターミナルケース（８）内のシールド部内で相互接続されている。」、記載事項２ｂの「従来例において、芯線接続部（１３）を変更したものであり、他の構成は従来例と全く同様である。ここに、本発明の芯線接続部（１３）は同軸ケーブルの芯線（１７ａ）に弾接される接続ばね（１４）を用いて形成され、この接続ばね（１４）は、・・・、プリント配線板（４）の導電パターンに半田固定される接続固定部（１４ｃ）とを有している。」及び技術常識からみて、接続ばね（１４）は前記出力端子部（１）の芯線接続用ピン（３）との間に信号経路を形成すること。
　　
２ｅ　記載事項２ａの「シールドケース本体（５）とシールドケースカバー（６）とで形成される箱状のシールド部の前面に取付枠（７）が被着されてターミナルケース（８）が形成されている。シールドケース本体（５）および取付枠（７）には出力端子部（１）を露出させる丸孔（９）（１０）が形成され、」、記載事項２ｂの「シールド線（１７ｂ）の外周をシールド線接続部１２の押え金具１２ａにて圧接してターミナルシーケンス（「ターミナルケース」の誤記。）（８）のシールド部に同軸ケーブル（１７）を固定する。」と第３図から、取付枠（７）は、出力端子部（１）を前面側に臨ませるとともに後面側に入力側となる入力用同軸ケーブル（１７）のシールド線（１７ｂ）を接続保持するシールド線接続部（１２）を露出させて配設していること。
　　
２ｆ　記載事項２ｂの「この接続ばね（１４）は、芯線挟持部（１４ａ）と、取付枠（７）の突片（７ａ）に穿設された角形凹部（１５）に係合するコ字形部（１４ｂ）と、プリント配線板（４）の導電パターンに半田固定される接続固定部（１４ｃ）とを有している。」、「まず最初に、同軸ケーブル（１７）の芯線（１７ａ）を接続ばね（１４）の芯線挟持部（１４ａ）に挿入接続するとともに、シールド線（１７ｂ）の外周をシールド線接続部（１２）の押え金具（１２ａ）にて圧接してターミナルシーケンス（８）のシールド部に同軸ケーブル（１７）を固定する。この場合、芯線（１７ａ）はワンタッチで芯線接続部（１３）に接続され、シールド線接続部（１２）の締付ねじ（１２ｃ）を締付けるだけで、同軸ケーブル（１７）が接続固定され、」と第３図から、接続ばね（１４）はそのばね力によって差込接続された前記入力用同軸ケーブル（１７）の芯線（１７ａ）を保持すること、及び、入力用同軸ケーブル（１７）の芯線（１７ａ）を接続ばね（１４）に差し込む方向が前記シールド線接続部（１２）に接続保持された入力用同軸ケーブル（１７）の延長方向と一致するように接続ばね（１４）を取付枠（７）の後面側にその突片（７ａ）を介して配置したこと。
　　
　以上を総合すると、引用例２には、次の発明（以下「引用発明２」という。）が記載されている。
　　
　入力用同軸ケーブル（１７）のシールド線（１７ｂ）を接続保持するシールド線接続部（１２）と、出力用同軸ケーブルが接続される出力端子部（１）と、入力用同軸ケーブル（１７）の芯線（１７ａ）が差込接続され、ばね力によって芯線（１７ａ）を保持するとともに前記出力端子部（１）の芯線接続用ピン（３）との間に信号経路が形成される接続ばね（１４）と、前記出力端子部（１）を前面側に臨ませるとともに後面側に前記シールド線接続部（１２）を露出させる取付枠（７）とを備えたテレビターミナルにおいて、
　入力用同軸ケーブル（１７）の芯線（１７ａ）を接続ばね（１４）に差し込む方向が前記シールド線接続部（１２）に接続保持された該同軸ケーブル（１７）の延長方向と一致するように接続ばね（１４）を取付枠（７）の後面側に配置すること。
　　
４．対比・判断
　本願発明と引用発明１を対比すると、引用発明１の「レセプタクル２０」は本願発明の「同軸コネクタ」に相当し、以下同様に、「内側接触子２５」は「内側導体」に、「コンセント本体１０」は「カバー」に、「ＴＶコンセント」は「テレビコンセント」に、それぞれ相当する。
　　
　したがって、両者は次の一致点と相違点を有する。
［一致点］
  入力側となる第１の同軸ケーブルの外側導体を接続保持する接続部と、出力側となる第２の同軸ケーブルが接続される同軸コネクタと、第１の同軸ケーブルの中心導体が差込接続さればね力によって中心導体を保持するとともに前記同軸コネクタの内側導体との間に信号経路が形成される接触ばねと、前記同軸コネクタを前面側に臨ませるとともに後面側に前記接続部を露出させ取付面に埋込配置されるカバーとを備え、接触ばねをカバーの後面側に配置したテレビコンセント。
　　
［相違点］
　前記接触ばねを、本願発明では、第１の同軸ケーブルの中心導体を接触ばねに差し込む方向が接続部に接続保持された第１の同軸ケーブルの延長方向と一致するように配置したのに対して、引用発明１では、かかる構成は不明である点。
　　
［相違点についての検討］
　引用例２に記載された引用発明２について検討する。
　本願発明と引用発明２とを対比すると、引用発明２の「入力用同軸ケーブル（１７）」は本願発明の「入力側となる第１の同軸ケーブル」に相当し、以下同様に、「シールド線（１７ｂ）」は「外側導体」に、「芯線（１７ａ）」は「中心導体」に、「出力用同軸ケーブル」は「出力側となる第２の同軸ケーブル」に、「出力端子部（１）」は「同軸コネクタ」に、「芯線接続用ピン（３）」は「内側導体」に、「接続ばね（１４）」は「接触ばね」に、それぞれ相当し、また、引用発明２の「取付枠（７）」は本願発明の「カバー」に対応している。
　
　したがって、引用発明２は、入力側となる第１のケーブルの外側導体を接続保持するシールド線接続部と、出力用同軸ケーブルが接続される同軸コネクタと、入力側となる第１のケーブルの中心導体が差込接続され、ばね力によって中心導体を保持するとともに前記同軸コネクタの内側導体との間に信号経路が形成される接触ばねと、前記同軸コネクタを前面側に臨ませるとともに後面側に前記シールド線接続部を露出させるカバーとを備えたテレビターミナルにおいて、
　入力側となる第１の同軸ケーブルの中心導体を接触ばねに差し込む方向が前記シールド線接続部（１２）に接続保持された該第１の同軸ケーブルの延長方向と一致するように接触ばねをカバーの後面側に配置し、前記入力側同軸ケーブルの接続作業の容易性とその中心導体の接続の信頼性を向上すること、と言い代えることができる。
　
　そして、引用発明２も、引用発明１と同様、テレビ信号接続器具に属するものである。
　
　したがって、引用発明１において、第１の同軸ケーブルの中心導体を接触ばねに差し込む方向が接続部に接続保持された第１の同軸ケーブルの延長方向と一致するように配置した点は、接続性向上を図るため、引用発明２から、当業者であれば容易に想到し得たことである。
　　
　また、本願発明１の奏する効果は、引用発明１及び引用発明２から当業者が予測し得る程度であって、格別のものではない。
　
５．むすび
　したがって、本願発明１は、引用発明１及び引用発明２に基づいて当業者が容易に発明をすることができたものであるから、特許法第２９条第２項の規定により特許を受けることができない。
　
　よって、他の請求項に係る発明について検討するまでもなく、本願は拒絶すべきものであるから、結論のとおり審決する。